(57)【要約】【課題】利用性の高いヘアーエクステンションを提供する。【解決手段】一方の面に接着剤３ａが塗布された、折り畳み自在な基材シート３とこの基材シート３の他方の面に接着された、複数本の人毛や化学繊維からなる毛束２とを備える。毛束２の、基材シート３に接着する面と反対の面において、基材シート３と毛束２との接着範囲に保護シート４が重畳的に接着されている。未使用状態においては、基材シート３の一方の面には接着剤３ａによって剥離紙５が接着されている。剥離紙５の外面には毛束２の軸線方向に直交する方向の長さを計測する物差し５ａが形成されている。【選択図】図１
0003141741.tif 000002
【実用新案登録請求の範囲】
【請求項１】
一方の面に接着剤が塗布された、折り畳み自在な基材シートと
この基材シートの他方の面に接着された毛束とを備えることを特徴とするヘアーエクステンション。
【請求項２】
前記基材シートの一方の面には接着剤によって剥離紙が接着されていることを特徴とする請求項１に記載のヘアーエクステンション。
【請求項３】
前記毛束の軸線方向に直交する方向の長さを計測する物差しが外面に形成されていることを特徴とする請求項１又は２に記載のヘアーエクステンション。
【請求項４】
前記物差しは前記剥離紙の外面に形成されていることを特徴とする請求項２又は３に記載のヘアーエクステンション。
【請求項５】
前記毛束の、前記基材シートに接着する面と反対の面において、前記基材シートと前記毛束との接着範囲に重畳的に接着される保護シートを備えることを特徴とする請求項１乃至３のいずれかに記載のヘアーエクステンション。
【請求項６】
前記保護シートは透明性を有し、前記毛束と同一色に染色されていることを特徴とする請求項５に記載のヘアーエクステンション。
【請求項７】
前記基材シートが折り畳まれて頭髪を挟み込んだ状態で外側から加圧及び加熱されて前記頭髪に接続されていることを特徴とする請求項１乃至６に記載のヘアーエクステンション。
【考案の詳細な説明】
【技術分野】
【０００１】
本考案は、頭髪に接続して装着されるヘアーエクステンションに関する。
【背景技術】
【０００２】
従来から、複数本の化学繊維や人毛で構成される毛束を備えるヘアーエクステンションと呼ばれる模擬頭髪が使われ、頭髪に装着することによって頭髪の長さ、色又は髪型を変化させるようになっている。ヘアーエクステンションの態様によって、ヘアーエクステンションと頭髪との接続手段が相違する場合がある。
【０００３】
例えば、頭髪に取り付けられたヘアピンや止めゴム等の道具に連結される取り付け具を備えるヘアーエクステンションは、ヘアピン等の道具を介して頭髪に接続されている（特許文献１参照）。また、毛束のみからなるヘアーエクステンションは頭髪に形成された三つ編み等に編み込まれることよって接続され、この接続部分はゴムによって留められている（特許文献２参照）。
【０００４】
【特許文献１】実用新案登録第３１１１９２５号公報（段落００１１〜００１２、図１、図２）
【特許文献２】特開２００４−１００１２８号公報（段落０００７、図８）
【考案の開示】
【考案が解決しようとする課題】
【０００５】
特許文献１に記載のヘアーエクステンションを使用するためには、ヘアピン等の道具を頭髪に装着しなければならないので、使用できる者はヘアピン等の道具を装着している者に限られる。頭髪が短い場合は、ヘアピン等の道具を装着すること自体が困難である。また、頭髪とヘアーエクステンションとの接続部分である取り付け具が露呈するので、ヘアーエクステンションが頭髪の外側に取り付けられた場合、ヘアーエクステンションの模擬効果が薄れてしまう。
【０００６】
特許文献２に記載のヘアーエクステンションの毛束と頭髪とを接続する作業は煩雑且つ細かいので、ヘアーエクステンションを頭髪に接続するためには専門的な技術を要する。したがって、ヘアーエクステンションを取り扱えるのはその専門的な技術を修得した者のみであった。頭髪が短い場合、三つ編みを形成すること自体が困難である。また、頭髪とヘアーエクステンションと接続部分には三つ編み等が形成されてしまうので、ヘアーエクステンションが頭髪の外側に取り付けられた場合、ヘアーエクステンションの髪型や頭髪の髪型によっては（例えば、双方ともストレート）、ヘアーエクステンションの模擬効果が薄れてしまう。
【０００７】
このように、特許文献１に記載及び特許文献２に記載のヘアーエクステンションは、使用する者及び取り扱う者が制限され、また、取り付け箇所によっては模擬効果が薄れるので、利用性が低かった。
【０００８】
本考案の目的は斯かる課題に鑑みてなされたもので、利用性の高いヘアーエクステンションを提供することである。
【課題を解決するための手段】
【０００９】
請求項１に係る発明の要旨は、一方の面に接着剤が塗布された、折り畳み自在な基材シートと、この基材シートの他方の面に接着された毛束とを備えることを特徴とするヘアーエクステンションに存する。
請求項２に係る発明の要旨は、前記基材シートの一方の面には接着剤によって剥離紙が接着されていることを特徴とする請求項１に記載のヘアーエクステンションに存する。
請求項３に係る発明の要旨は、前記毛束の軸線方向に直交する方向の長さを計測する物差しが外面に形成されていることを特徴とする請求項１又は２に記載のヘアーエクステンションに存する。
請求項４に係る発明の要旨は、前記物差しは前記剥離紙の外面に形成されていることを特徴とする請求項２又は３に記載のヘアーエクステンションに存する。
請求項５に係る発明の要旨は、前記毛束の、前記基材シートに接着する面と反対の面において、前記基材シートと前記毛束との接着範囲に重畳的に接着される保護シートを備えることを特徴とする請求項１乃至３のいずれかに記載のヘアーエクステンションに存する。
請求項６に係る発明の要旨は、前記保護シートは透明性を有し、前記毛束と同一色に染色されていることを特徴とする請求項５に記載のヘアーエクステンションに存する。
請求項７に係る発明の要旨は、前記基材シートが折り畳まれて頭髪を挟み込んだ状態で外側から加圧及び加熱されて前記頭髪に接続されていることを特徴とする請求項１乃至６に記載のヘアーエクステンションに存する。
【考案の効果】
【００１０】
本考案は上記の通り、一方の面に接着剤が塗布された、折り畳み自在な基材シートと、この基材シートの他方の面に接着された毛束とを備えるので、利用性を高くすることができる。
【考案を実施するための最良の形態】
【００１１】
以下、図面に基づいて本考案の実施の形態を詳細に説明する。
【００１２】
（実施の形態１）
図１（ａ）〜（ｄ）に本考案のヘアーエクステンション１の未使用状態における具体例を示す。図１（ａ）はヘアーエクステンション１の平面図、図１（ｂ）はヘアーエクステンション１の正面図、図１（ｃ）はヘアーエクステンション１の側面図、図１（ｄ）はヘアーエクステンション１の背面図である。
【００１３】
ヘアーエクステンション１は、複数本の毛２Ａからなる毛束２と、毛束２の一方の面に接着して毛２Ａを所定の配列で束ねて留める基材シート３と、毛束２の他方の面の基材シート３と重なる範囲に接着し、毛束２と基材シート３との接着部分を覆って保護する保護シート４と、基材シート３の毛束２に接触する面と反対側の面に塗布された接着剤３ａによって仮止めされている剥離紙５とで構成されている。
【００１４】
使用時においては剥離紙５が基材シート３から剥離され、基材シート３に塗布された接着剤３ａによってヘアーエクステンション１が頭髪６に接続される。すなわち、ヘアーエクステンション１は、毛束２と基材シート３と保護シート４とで積層される接続部１Ａを備え、この接続部で接着剤３ａによって頭髪６に接続される。
【００１５】
具体的には、例えば、図２に示すように、毛束２が基材シート３の外側に位置するようにヘアーエクステンション１の接続部１Ａが毛束２の軸線方向（毛２Ａの長さ方向）に直交する方向に折り畳まれて、頭髪６を挟み込み、頭髪６に接着されることでヘアーエクステンション１が頭髪６に取り付けられる。
【００１６】
この結果、例えば接続部１Ａに挟み込まれた部分の頭髪６が長くなったように見える。実施の形態においては、頭髪６とは地毛の集合体、つまり実際に頭に生えている髪の毛の全部又は一部のことを指す。
【００１７】
接続部１Ａと頭髪６との接着は例えば剥離剤によって解除される。すなわち、接着剤３ａに対応し、接着剤３ａによる接着機能を解除する剥離剤（図示せず）が用意されている。したがって、ヘアーエクステンション１と頭髪６との接続は着脱自在である。
【００１８】
ヘアーエクステンション１は、頭髪６を長くなったように見せることができる他に、例えば頭髪６の色と異なるヘアーエクステンション１を用いることによって、頭髪６の色の一部のみを変化させているように見せることができる。また、頭髪６の髪型と異なる髪型のヘアーエクステンション１（例えば、頭髪６を構成する地毛がストレートであるのに対してヘアーエクステンション１を構成する毛２Ａがパーマ）を用いることによって、頭髪６の髪型を一部のみ変化さえているように見せることができる。すなわち、ヘアーエクステンション１によって、ヘアーデザインのバリエーションを増やすことができる。この時、パーマ液等の薬剤を使用しないので、頭皮等の人体に対する影響がない。
【００１９】
さらに、ヘアーエクステンション１を頭髪６に接続し、ヘアーエクステンション１と頭髪６とを一体化した状態で、この一体化されたヘアーエクステンション１及び頭髪６の全体を染めたり、パーマしたりすることも可能である。すなわち、ヘアーエクステンション１によって、ヘアーデザインのバリエーションを一層増やすことができる。
【００２０】
図面では、ヘアーエクステンション１は頭部の背面側で頭髪６の先端部に接続されているが、ヘアーエクステンション１の頭髪６への接続態様はこれに限るものではなく、例えば頭部の前面側又は側面側で、頭髪６の根元部又は中間部に接続されることも可能である。すなわち、ヘアーエクステンション１と頭髪６との接続位置は、ヘアーデザインによって適宜に設定される。
【００２１】
毛束２を構成する複数本の毛２Ａは所定の長さに形成されており、その長さ方向に直交する方向（以下、毛束２の幅方向という）に並んで、例えば接着剤等によって基材シート３の一方の面に接着されている。毛２Ａは、耐熱処理の施された人毛や耐熱性に優れた化学繊維からなる人工毛等が好ましい。後述するように、基材シート３と頭髪６との接着力を増大させる目的でヘアアイロン等によって保護シート４の外面を挟んで基材シート３に塗布された接着剤３ａを加熱するので、加熱による毛２Ａの変形・損傷を防止するためである。
【００２２】
基材シート３は可撓性を有し、且つ折り畳み可能である。基材シート３が構成する接続部１Ａが頭髪６を挟み込むために、任意の位置で任意の方向に折り畳まれるからである。つまり、基材シート３は任意の方向に折り畳める程度の柔軟性を有する。接続部１Ａを折り畳んで頭髪６を挟み込むことによってヘアーエクステンション１と頭髪６とが接続されるので、容易に且つ迅速にヘアーエクステンション１を頭髪６へ装着することができる。したがって、ヘアピン等の道具を頭髪６に装着した者でなくてもヘアーエクステンション１を使用（装着）することができる。また、取り付け方法が簡単であるので、専門的な技術を修得した者でなくてもヘアーエクステンション１を取り扱うことができる。すなわち、ヘアーエクステンション１の利用性が高い。
【００２３】
また、後述するように、ヘアーエクステンション１を使用する際には接続部１Ａを略毛２Ａの長さ方向（図４参照）に切断する作業を行う。この切断作業は、通常、接続部１Ａを片手で保持した状態で、はさみ等の切断用道具によって行われる。したがって、切断作業をする上で、接続部１Ａは弾性を有し、いかなる向きに保持されても自立することが望ましい。
【００２４】
一方、ヘアーエクステンション１を使用する際には、接続部１Ａは毛束２の幅方向に折り畳まれて接着剤３ａによって頭髪６に接着される。接続部１Ａが弾性を有する場合、接続部１Ａは折り畳まれた状態で、接続部１Ａと頭髪６とが元の状態に戻る方向（外側に広がる）に弾性力が作用する。
【００２５】
弾性力が作用すると接続部１Ａと頭髪６との接着力が低下する虞があるので、接続部１Ａと頭髪６との接着状態を確実に維持するためには、この弾性力が小さい方が有利である。したがって、接続部１Ａは、いかなる向きに保持されても自立する、つまりその形状を維持する程度の弾性を有することが好ましい。
【００２６】
基材シート３は例えば両面テープで構成することができる。この場合、基材シート３の両面に接着剤３ａが塗布されているので、毛束２は基材シート３の一方の面の接着剤３ａで接着される。他方の面の接着剤３ａには、剥離紙５が仮止めされる。基材シート３の材料には、フィルムや不織布等が適宜に選定されるが、可撓性を有し、且つ折り畳み可能であり、さらに使用時の加熱に耐えられる程度の耐熱性を有することが必要である。
【００２７】
保護シート４は、毛束２の基材シート３が接着されている面と反対の面の、毛束２と基材シート３との接着部分に重複する範囲に、例えば粘着剤等によって接着されて当該接着部分を覆って保護している。
【００２８】
保護シート４は基材シート３と同一形状であることが望ましい。毛束２と基材シート３との接着部分を保護するためには、少なくとも、基材シート３と同一の範囲で毛束３を覆う必要があり、基材シート３の範囲から突出すると、基材シート３から突出した部分の材料が無駄になり、経済性が低下するからである。上記接着部分を確実に保護するために、保護シート４は基材シート３に圧着されてもよい。
【００２９】
保護シート４は透明性を有し、さらには毛束２と同一色に染色されていることが望ましい。毛束２の、保護シート４に覆われている部分といない部分との区別がつき難くなり、ヘアーエクステンション１全体として頭髪に対する疑似効果が向上するからである。保護シート４は使用状態においてヘアーエクステンション１の接続部１Ａの外側に位置するので、この疑似効果によって、ヘアーエクステンション１の取り付け箇所を、例えば頭髪６の外側にすることも可能である。したがって、ヘアーエクステンション１の利用性が高い。
【００３０】
また、保護シート４は、可撓性を有し、且つ折り畳み自在である。保護シート４が構成する接続部１Ａが頭髪６を挟み込むために、任意の位置で任意の方向に折り畳まれるからである。つまり、保護シート４は任意の方向に折り畳める程度の柔軟性を有する。さらには使用時の加熱に耐えられる程度の耐熱性を有することが必要である。後述するように、例えば、頭髪６とヘアーエクステンション１との接着力を増大する目的でヘアアイロン等によって保護シート４を外側から挟んで加熱するからである。
【００３１】
基材シート３の他方の面には接着剤３ａを介して剥離紙５が仮止め接着されている。すなわち、未使用状態においては、接着剤３ａの接着性能が低下しないように接着剤３ａが剥離紙５によって保護されている。使用状態においては、剥離紙５が基材シート３から剥離され、露呈する接着剤３ａによって頭髪６とヘアーエクステンション１とが接続される。
【００３２】
剥離紙５は、可撓性を有し、且つ折り畳み自在である。後述するように、未使用状態においては剥離紙５と接続部１Ａとが一体化されており、ヘアーエクステンション１の幅を決定する際に、この一体化されたものが折り畳められることもあるからである。また、剥離紙５も保護シート４と同様に基材シート３と同一の形状を呈することが望ましい。剥離紙５の基材シート３に接着される面には、剥離紙５が基材シート３から剥離し易いようにコーティング加工等の処理が施されている。
【００３３】
ヘアーエクステンション１には、毛２Ａが並んでいる方向、すなわち毛束２の幅方向の長さを計測する物差し５ａが形成されている。図面では、剥離紙５の外面に所定間隔で目盛りが記されることによって剥離紙５に物差し５ａが形成されている。
【００３４】
目盛りは、未使用状態において物差し５ａとしての機能を発揮するために物差し５ａの目盛りと背景とのコントラストが高いことが好ましい。しかし、一方では、ヘアーエクステンション１を構成するので、使用状態においてはコントラストが小さい方が好ましい。したがって、使用状態においてはヘアーエクステンション１を構成しない剥離紙５に物差し５ａが形成されることが好ましい。
【００３５】
図１（ｄ）では目盛りは、５ｍｍおきに形成される毛２Ａの長さ方向に平行な中直線と、１０ｍｍおきに形成される毛２Ａの長さ方向に平行な長直線と、これらの間で１ｍｍおきに形成される毛２Ａの長さ方向に平行な短直線とで構成されている。目盛りの間隔は適宜に設定される。また、目盛りの形態も毛２Ａに平行な短中長直線の組み合わせに限られず、例えば、丸印と三角印と四角印との組み合わせ、凹部と凸部との組み合わせでもよく、適宜に設定される。
【００３６】
物差し５ａが剥離紙５に形成されている場合、例えば剥離紙５に直接的に形成される態様、又は間接的に形成される態様がある。剥離紙５に直接的に形成されるとは、目盛りとしての所定の形態が印刷等の形状を再現する方法によって剥離紙５の外面に再現されることをいう。この場合、物差し５ａがヘアーエクステンション１に一体に形成されているので、使用者はヘアーエクステンション１を購入するとそのままの状態で使用できる。したがって、利用性が高い。
【００３７】
一方、剥離紙５に間接的に形成されるとは、例えば物差し５ａが形成されているシート（図示せず）が剥離紙５の外面に貼付されている等、物差し５ａが剥離紙５とは別個の部材に形成されて、流通後に剥離紙５に一体的に形成されることをいう。この場合、使用される直前に物差し５ａが形成されている部材を例えば剥離紙５に貼付するので、物差し５ａの劣化を防止することができる。
【００３８】
ところで、ヘアーエクステンション１に接続される頭髪６の幅（地毛の長さ方向に直交する方向の長さ）が予め設定されている場合、その幅から使用するヘアーエクステンション１の幅（毛２Ａの長さ方向に直交する方向の長さ）Ｂも容易に設定できる（例えば、頭髪６の幅が４ｍｍの場合、ヘアーエクステンション１の幅Ｂが８ｍｍ）ので、この物差し５ａによって、迅速に且つ正確にヘアーエクステンション１を切断することが可能である。
【００３９】
また、現場においてヘアーエクステンション１を頭髪６に取り付ける前に、ヘアーエクステンション１を折り畳んで頭髪６に挟みんだ状態で、頭髪６の幅及びそれを挟んだヘアーエクステンション１の幅Ｂを変更しながらヘアデザインを創作する場合、ヘアーエクステンション１の幅Ｂを確定する際に、物差し５ａによって、ヘアーエクステンション１の幅Ｂを容易に計測することが可能である。
【００４０】
例えば、接続部１Ａを折り畳んで頭髪６を挟み込むと、図３に示すように、ヘアーエクステンション１の幅Ｂ方向の一方側（図３において右側）は折り畳まれることによって重なり合い、物差し５ａが見えなくなる。一方、この時、ヘアーエクステンション１の他方側（図３において左側）は目視可能な状態にある。
【００４１】
ここで、折り畳まれている側の端Ｘが示す物差し５ａ上の位置によって、切断される位置、つまり切断されて使用されない部分の幅が計測される。図面では、切断される位置は物差し５ａの目視可能な部分の端Ｙ（図３において左端）から３ｃｍの位置、つまり切断されて使用されない部分の幅は３ｃｍである。
【００４２】
ヘアーエクステンション１の幅Ｂを確定する時、頭髪６を挟んだ状態で接続部１Ａを切断すると、切断箇所の周囲の頭髪６も切断する虞があることから、ヘアーエクステンション１の幅Ｂを確定した後に、ヘアーエクステンション１を一度頭髪６から離反させる必要がある。ここで、接続部１Ａを頭髪６を挟み込みながら物差し５ａによってヘアーエクステンション１の幅Ｂを容易に計測できるので、ヘアーエクステンション１は高い利用性を示す。
【００４３】
この時、物差し５ａが、毛２Ａの長さ方向に平行な中心線Ｃ１について線対称であれば、ヘアーエクステンション１を左手あるいは右手のいずれかの手で保持しても、また、ヘアーエクステンション１の幅Ｂ及び頭髪６の幅を調整する際に、ヘアーエクステンション１、特に接続部１Ａをいかなる向きに保持しても、ヘアーエクステンション１の幅Ｂを物差し５ａのいずれの端Ｘ、Ｙからも容易に計測することができる。
【００４４】
次に、ヘアーエクステンションの頭髪への接続方法について説明する。最初に、図４に示すように、剥離紙５に形成された物差し５ａを用いて、ヘアーエクステンション１の接続部１Ａを所望の毛束２の幅方向の長さで、例えばはさみ７等の切断道具で切断する。切断する必要がない場合は、切断作業を行わない。
【００４５】
図５に示すように、切断された一方の基材シート３から剥離紙５を剥離し、接着剤３ａを露呈させ、一方で、図６に示すように、ヘアーエクステンション１を接続する頭髪６を束ねる。次いで、図７に示すように、束ねた頭髪６の外側から、露呈した接着剤３ａが内側になって頭髪６と面するように基材シート３を折り畳みながら基材シート３と頭髪６とを接続する。
【００４６】
この時、図面では接続部１Ａと頭髪６との接続は、接続部１Ａが１回折り畳まれる態様であるが、接続部１Ａが毛束２の幅方向の長さが上記の１回折り畳まれる接続部１Ａの毛束２の幅方向の長さと同一になるように複数回渦巻き状に折り畳まれる態様を採ることも可能である。この時、頭髪６に接続される毛２Ａの本数が増加する。したがって、同一幅の頭髪６に接続される毛束２の本数を調整することができる。
【００４７】
この場合、基材シート３の内面が保護シート４の外面に接着されるので、使用状態において基材シート３と保護シート４との接着を強固に維持するために、接着剤３ａとの接着性が良好であり、且つヘアアイロンをかけて加圧及び加熱された時に接着剤３ａによる接着力が増大するような材質からなる保護シート４が用いられることが好適である。
【００４８】
最後に、例えば図８に示すように、ヘアアイロン８で保護シート４を挟んで加圧して基材シート３を折り畳みながら加熱することで、接続部１Ａと頭髪６との接着力を増大させる。図９は頭髪６への取り付けが完了したヘアーエクステンション１を示す。
【００４９】
ヘアーエクステンション１を取り外すには、例えば接続部１Ａと頭髪６とを接続する接着剤３ａに対応した剥離剤を基材シート３と頭髪６との接続部分に散布する。
【００５０】
（その他の実施の形態）
なお、本発明は、上記各実施の形態に限定されるものではない。上記実施の形態は、例示であり、本発明の特許請求の範囲に記載された技術的思想と実質的に同一な構成を有し、同様な作用効果を奏するものは、いかなるものであっても本発明の技術的範囲に包含される。
【図面の簡単な説明】
【００５１】
【図１】（ａ）はヘアーエクステンションの平面図、（ｂ）はヘアーエクステンションの正面図、（ｃ）はヘアーエクステンションの側面図、（ｄ）はヘアーエクステンションの背面図である。
【図２】図１のヘアーエクステンションの使用状況を表す図である。
【図３】図１のヘアーエクステンションを折り畳んで頭髪に挟みんだ状態で、頭髪の幅及びそれを挟んだヘアーエクステンション１の幅を変更しながらヘアデザインを創作する様子を表す図である。
【図４】図１のヘアーエクステンションが所定の位置で切断されている様子を表す図である。
【図５】図４の剥離紙が基材シートから剥離されている様子を表す図である。
【図６】ヘアーエクステンションが接続される頭髪を束ねている様子を表す図である。
【図７】図５の基材シートが折り畳まれて、頭髪を挟んでいる様子を表す図である。
【図８】ヘアアイロンで図７の基材シートを加熱している様子を表す図である。
【図９】図４のヘアーエクステンションと頭髪との接続が完了した様子を表す図である。
【符号の説明】
【００５２】
１………ヘアーエクステンション
１Ａ……接続部
２………毛束
２Ａ……毛（人毛又は化学繊維）
３………基材シート
３ａ……接着剤
４………保護シート
５………剥離紙
５ａ……物差し
６………頭髪
７………はさみ
８………ヘアアイロン
【図１】
0003141741.tif 000003
【図２】
0003141741.tif 000004
【図３】
0003141741.tif 000005
【図４】
0003141741.tif 000006
【図５】
0003141741.tif 000007
【図６】
0003141741.tif 000008
【図７】
0003141741.tif 000009
【図８】
0003141741.tif 000010
【図９】
0003141741.tif 000011